(57)【特許請求の範囲】
【請求項１】
被記録媒体に記録を行う記録手段を内部に備える装置本体部と、
前記装置本体部に備えられ、各種情報等を表示する表示部の外周側を支持するパネルと、
樹脂材料から形成されたカバーと、を備え、
前記カバーは、前記表示部を覆う被覆部と、前記被覆部の外周側に形成され、前記パネルと当接する当接部を有し、
前記被覆部は、前記当接部に沿って配置された外側領域と、前記外側領域の内側に配置された内側領域とによって形成され、前記外側領域の厚さは、前記内側領域の厚さより薄いことを特徴とする記録装置。
【請求項２】
請求項１に記載の記録装置であって、
前記当接部は、外周が、一対の短辺と、前記短辺の延びる方向と交わる方向に延びる一対の長辺とを有し、
前記被覆部における前記外側領域は、前記短辺に沿って配置された短辺領域と、前記長辺に沿って配置された長辺領域とによって形成され、
前記長辺領域には、前記長辺の延びる方向と交わる方向の幅が、前記短辺領域における前記短辺の延びる方向と交わる方向の幅より長い部分があることを特徴とする記録装置。
【請求項３】
請求項１または請求項２に記載の記録装置であって、
前記外側領域には、前記内側領域と接続され、外側に位置するほど厚さが連続的に減少するように傾斜する傾斜面を有する傾斜部が形成されたことを特徴とする記録装置。
【請求項４】
請求項１から請求項３のいずれか一項に記載の記録装置であって、
前記当接部は、前記被覆部の厚さ方向に突出することを特徴とする記録装置。
【請求項５】
請求項４に記載の記録装置であって、
当接部の延在する方向に亘って平面部が形成され、前記パネルにおける前記平面部と当接する側の面は、曲面であることを特徴とする記録装置。
【請求項６】
請求項１から請求項５のいずれか一項に記載の記録装置であって、
前記被覆部の外周部には、手掛け部を構成する厚肉部が形成され、
前記被覆部には、前記厚肉部と接続され、前記厚肉部に沿って延在する薄肉部が形成され、
前記薄肉部は、前記被覆部において最も薄いことを特徴とする記録装置。
【発明の詳細な説明】
【技術分野】
【０００１】
本発明は、記録装置に関する。
【背景技術】
【０００２】
プリンターに代表される記録装置には、コンピューターと接続することなくスタンドアロンで使用可能なものがある。このようなプリンターには、各種情報や画像などを表示する表示部を支持するパネルが、チルト機構を介してチルト可能に設けられたものがある（例えば、特許文献１参照）。表示部の一例として、液晶表示装置で構成されたものがある。液晶表示装置の表面は、樹脂やガラスなどで作られた透明な板状部材で構成されているため、一般的に衝撃および圧力に対してあまり強くない。そこで、輸送または保管のときには、外部からの衝撃および圧力などから液晶表示装置を保護するため、表示部を覆うように樹脂成形品のカバーを装着することが行われる。
【先行技術文献】
【特許文献】
【０００３】
【特許文献１】特開２０１１−４２１２５号公報
【発明の概要】
【発明が解決しようとする課題】
【０００４】
しかしながら、スタンドアロンで使用可能なプリンターにおいては、近年は、表示部がより大型化する傾向があり、その表示部を覆うカバーも大型化する傾向にある。そのため、樹脂成形品のカバーにはソリが生じ易くなり、表示部を覆うようにカバーをパネルに装着した際には、カバーとパネルとの間に隙間が生じ易くなる。このため、輸送または保管のときには、その隙間から埃や砂塵が侵入し、表示部に付着してしまうという課題があった。
本発明は、樹脂成形品のカバーに生じるソリを抑制させて、表示部に埃や砂塵の付着を低減できるカバーを備えた記録装置を提供することを目的とする。
【課題を解決するための手段】
【０００５】
本発明は、上述の課題の少なくとも一部を解決するためになされたものであり、以下の形態または適用例として実現することが可能である。
【０００６】
［適用例１］被記録媒体に記録を行う記録手段を内部に備える装置本体部と、前記装置本体部に備えられ、各種情報等を表示する表示部の外周側を支持するパネルと、樹脂材料から形成されたカバーと、を備え、前記カバーは、前記表示部を覆う被覆部と、前記被覆部の外周側に形成され、前記パネルと当接する当接部を有し、前記被覆部は、前記当接部に沿って配置された外側領域と、前記外側領域の内側に配置された内側領域とによって形成され、前記外側領域の厚さは、前記内側領域の厚さより薄いことを特徴とする記録装置。
【０００７】
本適用例によれば、前記被覆部は、前記当接部に沿って配置された外側領域と、前記外側領域の内側に配置された内側領域とによって形成され、前記外側領域の厚さは、前記内側領域の厚さより薄い。これにより、樹脂成形によりカバーを形成する際、外側領域に流れた液状の樹脂材料が、内側領域に流れた液状の樹脂材料より早く固化する。そのため、外側領域のソリ（変形）を抑制できる。これにより、パネルとカバーとの間に生じる隙間を小さくすることが可能となり、その隙間から埃や砂塵が侵入し、表示部に付着してしまうことを抑制できる。
【０００８】
［適用例２］前記当接部は、外周が、一対の短辺と、前記短辺の延びる方向と交わる方向に延びる一対の長辺とを有し、前記被覆部における前記外側領域は、前記短辺に沿って配置された短辺領域と、前記長辺に沿って配置された長辺領域とによって形成され、前記長辺領域における前記長辺の延びる方向と交わる方向の幅は、前記短辺領域における前記短辺の延びる方向と交わる方向の幅より長い部分があることを特徴とする上記記録装置。
【０００９】
本適用例によれば、樹脂成形によりカバーを形成する際、長辺領域の方が短辺領域より液状の樹脂材料が早く固化する。これにより、長辺領域のソリを抑制できる。
【００１０】
［適用例３］前記外側領域には、前記内側領域と接続され、外側に位置するほど厚さが連続的に減少するように傾斜する傾斜面を有する傾斜部が形成されたことを特徴とする上記記録装置。
【００１１】
本適用例によれば、傾斜部の傾斜面を形成するための、型の傾斜面に沿って、液状の樹脂材料が外側領域に向けて流れやすくなる。これにより、外側領域に流入した液状の樹脂材料が内側領域に流入した液状の樹脂材料よりも早い段階で固化する。そのため、外側領域のソリ（変形）を抑制できる。
【００１２】
［適用例４］前記当接部は、前記被覆部の厚さ方向に突出することを特徴とする上記記録装置。
【００１３】
本適用例によれば、カバーの当接部が、リブの役割を果たす。これにより、カバーの剛性を高めることが出来るので、外部からの衝撃および圧力などから表示部をより保護することができる。また、カバーの被覆部と表示部との間に空間が形成されることになり、カバーに対する外部からの衝撃および圧力などにより被覆部が表示部の側に撓んだとしても、被覆部と表示部とが接触することを抑制できるので、表示部に傷が生じることを低減することができる。
【００１４】
［適用例５］当接部の延在する方向に亘って平面部が形成され、前記パネルにおける前記平面部と当接する側の面は、曲面であることを特徴とする上記記録装置。
【００１５】
本適用例によれば、パネルのパネル側当接部とカバーの当接部とが確実に当接するので、埃や砂塵が表示部側に侵入し、表示部に付着してしまうことをさらに抑制できる。
【００１６】
［適用例６］前記被覆部の外周部には、手掛け部を構成する厚肉部が形成され、前記被覆部には、前記厚肉部と接続され、前記厚肉部に沿って延在する薄肉部が形成され、前記薄肉部は、前記被覆部において最も薄いことを特徴とする上記記録装置。
【００１７】
本適用例によれば、樹脂成形によりカバーを形成する際、薄肉部に流れた液状の樹脂材料がより早く固化する。そのため、薄肉部の変形を抑制できる。従って、手掛け部の支持部となる薄肉部が変形することで、手掛け部も変形してしまうことを抑制できる。
【図面の簡単な説明】
【００１８】
【図１】記録装置の外観斜視図。
【図２】給紙カバーと排紙カバーを開いた状態での記録装置の外観斜視図。
【図３】パネルが回動し装置本体部の上部が露出する状態での記録装置の外観斜視図。
【図４】持ち運ぶ姿勢状態での記録装置の外観斜視図。
【図５】記録装置の断面図。
【図６】記録装置の断面図。
【図７】カバーを取り付けた状態での記録装置の外観斜視図。
【図８】カバーの斜視図。
【図９】係合部、突出部が形成された部分の斜視拡大図。
【図１０】切欠き部が形成された部分の斜視拡大図。
【図１１】カバーの当接部とパネルとが当接する部分の断面拡大図。
【発明を実施するための形態】
【００１９】
以下、記録装置の一実施形態について、図面に従って説明する。各図において示すＸ−Ｙ−Ｚ座標系はＸ方向が記録ヘッドの走査方向、Ｙ方向が装置奥行き方向である。Ｚ方向は重力方向であり、装置高さ方向を示している。また、＋Ｙ方向側を装置前面側とし、−Ｙ方向側を装置背面側とする。また、装置前面側から見て右側を＋Ｘ方向、左側を−Ｘ方向とする。また、＋Ｚ方向を装置上方（上部、上面等を含む）とし、−Ｚ方向側を装置下方（下部、下面等を含む）とする。
【００２０】
図１は、記録装置の一例であるインクジェットプリンター１０（以下、プリンター１０と称する）の外観斜視図である。プリンター１０の外観上の構成は、装置本体部１１、装置本体部１１の上面（＋Ｚ側の面）に設けられるパネル１４、装置本体部１１の上面の後方側を開閉する給紙カバー１６、装置本体部１１の前面（＋Ｙ側の面）側に開閉する排紙カバー１８、および装置本体部１１に対して回動可能に設けられるハンドル２０によって構成されている。また装置本体部１１は、上側を構成する本体上部１２と、下側を構成する本体下部１３と、を備えて構成されている。
【００２１】
パネル１４は、表示部２８の外周側を支持する。パネル１４は、外周が一対の短辺５０および一対の長辺５２を備える形状であり、本実施形態においては四隅が丸く形成された略長方形の形状をしている。
【００２２】
また、表示部２８も輪郭が一対の短辺５４および一対の長辺５６を備える形状であり、その長手方向（長辺５６）がパネル１４の長手方向（長辺５２）と一致するようにパネル１４に設けられている。表示部２８の大きさは、少なくともハガキサイズ以上の大きさに形成されている。
【００２３】
本実施形態において表示部２８は、表示部２８上の押圧された位置を検出する、所謂タッチパネルとしての機能を有し、編集内容、印刷設定内容、現在の動作ステータス等の各種情報を表示する他、各種入力操作を実行可能に構成されている。
【００２４】
プリンター１０は、タッチパネル方式の表示部２８による操作の他、パネル１４に設けられた操作ボタン１５ａ、操作ボタン１５ｂ等により操作することができる。またプリンター１０に接続されるキーボード等の他の機器により入力操作することも可能である。プリンター１０と他の操作機器との接続は、赤外線通信等の無線による接続の他、有線での接続でもよい。
【００２５】
図２は、給紙カバー１６と排紙カバー１８を開いた状態でのプリンター１０の外観斜視図である。プリンター１０の上面側であって、装置背面側に近い位置には、被記録媒体としての用紙Ｐをセットする媒体セット部２３が設けられている。給紙カバー１６を開くことによって媒体セット部２３が開放される。媒体セット部２３にセットされる用紙Ｐは、第１スライド板２４ａと第２スライド板２４ｂによって構成される用紙支持部２４によって支持される。
【００２６】
第１スライド板２４ａおよび第２スライド板２４ｂは、装置本体部１１に設けられた収納部２６（図５参照）に収納可能であり、且つ、収納部２６から引き出し可能に構成されている。
【００２７】
装置前面側には、記録の行われた用紙Ｐが排出される用紙排出部４１が設けられている。排紙カバー１８を開くことによって用紙排出部４１が開放される。排紙カバー１８は、開状態において、装置本体部１１から排出される用紙Ｐを支持するトレイとして機能する。
【００２８】
図３は、パネル１４が回動し装置本体部１１の上部が露出する状態でのプリンター１０の外観斜視図である。パネル１４は、その上面側に各種情報等を表示する表示部２８を備え、＋Ｘ側の側面に設けられた回動軸７０（図６参照）を中心に回動してプリンター１０の装置本体部１１の上部を開閉するように構成されている。プリンター１０は、パネル１４を開いた状態で給排紙動作、記録動作の実行が可能である。
【００２９】
ハンドル２０は、プリンター１０を持ち運ぶ際に把持する持ち手である。本体下部１３には、＋Ｘ側に突出する突出部７８が形成されおり、突出部７８には回動軸９０（図６参照）が設けられ、ハンドル２０が回動可能に取り付けられる。
【００３０】
図４は、プリンター１０を持ち運ぶ姿勢状態でのプリンター１０の外観斜視図である。プリンター１０を持ち運ぶ際には、図１に示す状態から図４に示す状態にハンドル２０を回動させ、ハンドル２０が重力方向の上側となる姿勢状態にする。
【００３１】
ハンドル２０は、装置本体部１１の奥行方向（Ｙ方向）に略平行に設けられる把持部２１と、把持部２１の両端に設けられるとともに把持部２１と交差する方向に延びる一対の腕部２２を備える。
【００３２】
次に、プリンター１０の内部構造の概略と用紙Ｐの搬送経路を説明する。図５は、図２のｂ−ｂ断面位置における矢視断面図である。図６は、図１のａ−ａ断面位置における矢視断面図である。図５には用紙Ｐの搬送経路が破線で示してある。プリンター１０において、用紙Ｐは＋Ｙ方向へ搬送される構成である。尚、以下において、プリンター１０において用紙Ｐが搬送されていく方向（＋Ｙ方向側）を「下流」といい、これと反対の方向（−Ｙ方向側）を「上流」という。
【００３３】
装置本体部１１の内部には、用紙Ｐにインクを吐出して記録を行う記録ヘッド３０を備えたキャリッジ３２が、用紙搬送方向（＋Ｙ方向）と交差する方向（Ｘ方向）に往復動するように設けられている。記録ヘッド３０の底面には、記録ヘッド３０の下方側を搬送される用紙Ｐに対してインクを吐出する複数のノズル（不図示）からなるノズル列が設けられており、キャリッジ３２に搭載される液体収納体３４からノズルを介してインクが供給される。
【００３４】
用紙Ｐは、給紙ローラー３６により用紙搬送方向下流に向けて給送される。給紙ローラー３６により送られる用紙Ｐは、搬送駆動ローラー３８ａと搬送従動ローラー３８ｂを備えた搬送ローラー対３８によって挟圧された状態で、記録ヘッド３０の下方（−Ｚ方向側）の記録領域に搬送される。
【００３５】
記録ヘッド３０と対向する側（下方側）には、記録ヘッド３０の液体吐出面（底面）と用紙Ｐとの間の用紙ギャップを規定する支持部材４２が設けられている。記録ヘッド３０と支持部材４２との間において、用紙Ｐに記録ヘッド３０からインクを吐出することによって記録が実行される。
【００３６】
記録ヘッド３０の用紙搬送方向下流側には、排出駆動ローラー４４ａと排出従動ローラー４４ｂとを備える排出ローラー対４６が設けられている。また、記録ヘッド３０と排出ローラー対４６の間には、浮き防止部としての回転体４８を設けることができる。回転体４８は、記録ヘッド３０から排出ローラー対４６へ至る用紙Ｐの搬送経路上に、用紙Ｐの記録面と接して従動回転するよう設けられることで、用紙Ｐの支持部材４２からの浮き上がりを防止して用紙Ｐと記録ヘッド３０との距離を一定に保つ機能を果たす。
【００３７】
支持部材４２上を搬送された記録後の用紙Ｐは、排出ローラー対４６によって下流側に送られて図２の用紙排出部４１から排出され、開状態の排紙カバー１８上に載置される。
【００３８】
図７は、図１のパネル１４の上部にカバー６０を取り付けた状態でのプリンター１０の外観斜視図である。カバー６０のＺ方向から見た外形形状は、一対の短辺６２および一対の長辺６１を備え、四隅が円弧状に形成された略長方形の形状である。カバー６０は、樹脂材料を樹脂成形によって形成されたものである。樹脂材料としては、例えば、成形した際の収縮率が低いブロックポリプレンなどを用いる。
【００３９】
カバー６０は、短辺６２がパネル１４の短辺５０（図１参照）と対応し、長辺６１がパネル１４の長辺５２（図１参照）と対応するようにパネル１４に着脱可能に取り付けられる。
【００４０】
図７のカバー６０における本体部６０１の背面側には、本体部６０１から背面側に突出し、Ｘ方向に延在する手掛け部６０２が設けられる。使用者は、手掛け部６０２における背面側の突出部６０２ｂを把持し、カバー６０をパネル１４から取り外すことができる。手掛け部６０２の表面６０２ａには、シボ加工がなされているので、手掛け部６０２を指で押してカバー６０を装着する際に、指が滑ることを抑制する。
【００４１】
図８は、カバー６０を図７の本体部６０１の表面６０１ａの反対側から見た斜視図である。カバー６０の中央部には、Ｚ方向の厚さが略均一の壁部である厚肉部６１０が形成される。厚肉部６１０の輪郭は、カバー６０の外形形状に沿った形状で、四隅が円弧状に形成された略長方形の形状である。
【００４２】
図８の厚肉部６２２，６２４は、Ｚ方向において図７の手掛け部６０２における表面６０２ａと反対側を形成する。厚肉部６２２は、Ｘ方向において、中央部に形成され、厚肉部６２４は、厚肉部６２２の両側に形成され、厚肉部６２２の上面は、６２４の上面より高い。突出部６０２ｂは、突出壁部６０３の−Ｙ方向の外側に突出し、Ｘ方向に延在する。
【００４３】
図８の厚肉部６１０のＸ方向の両側には、傾斜部６１２、薄肉部６１３がＹ方向に延在する。薄肉部６１３は、Ｚ方向の厚さが略均一の壁部であり、厚肉部６１０より薄い。傾斜部６１２は、傾斜面を有し、Ｘ方向の外側の薄肉部６１３側に位置するほど上面が低くなるように形成される。すなわち、傾斜部６１２は、外側の薄肉部６１３側に向かって連続して薄くなる形状である。
【００４４】
厚肉部６１０の＋Ｙ方向の外側には、傾斜部６１５、薄肉部６１６がＸ方向に延在する。厚肉部６１０の−Ｙ方向の外側には、傾斜部６１５、薄肉部６１６，６１９がＸ方向に延在する。
【００４５】
薄肉部６１９は、Ｙ方向においては厚肉部６２４と傾斜部６１５の間に形成され、Ｘ方向においては厚肉部６２２，６２４に沿って形成される。薄肉部６１６は、Ｘ方向において薄肉部６１９の外側に形成される。
【００４６】
薄肉部６１６，６１９は、Ｚ方向の厚さが略均一の壁部であり、厚肉部６１０より薄い。薄肉部６１９は、薄肉部６１６より薄い。傾斜部６１５は、傾斜面を有し、Ｙ方向の外側の薄肉部６１６側に位置するほど上面が低くなるように形成される。すなわち、傾斜部６１５は、外側の薄肉部６１６側に向かって連続して薄くなる形状である。
【００４７】
当接部６１４は、薄肉部６１３の外周側に形成され、薄肉部６１３より−Ｚ方向に突出し、Ｙ方向に延在する。当接部６１８は、薄肉部６１６の外周側に形成され、薄肉部６１６より−Ｚ方向に突出し、Ｘ方向に延在する。
【００４８】
長方形状のカバー６０の四隅には、薄肉部６１３，６１６と接続される薄肉部６１７がそれぞれ形成される。薄肉部６１７は、Ｚ方向の厚さが略均一の壁部であり、薄肉部６１３，６１６と同じ厚さである。
【００４９】
薄肉部６１７の外周部には、当接部６１４のＹ方向の両側に延長された部分と、当接部６１８のＸ方向の両側に延長された部分とが接続され、Ｚ方向から見た形状が円弧状に形成される。
【００５０】
厚肉部６１０のＸ方向の中央部における−Ｙ方向側には、厚肉部６２０，６２１が形成される。厚肉部６２１のＸ方向の両側には、傾斜部６２３が延在する。
【００５１】
厚肉部６２０の上面は厚肉部６１０，６２１の上面より高く、厚肉部６２１の上面は、厚肉部６２２より低い。傾斜部６２３の上面は、Ｘ方向の外側に位置するほど低く形成され、傾斜部６１５と接続される。
【００５２】
厚肉部６１０のＸ方向の中央部における＋Ｙ方向側には、厚肉部６２５，６２６が形成される。厚肉部６２６のＸ方向の両側には、傾斜部６２７が延在する。厚肉部６２５の上面は厚肉部６１０，６２６の上面より高く形成される。傾斜部６２７の上面は、Ｘ方向の外側に位置するほど低く形成され、傾斜部６１５と接続される。
【００５３】
図７の一対の短辺６２に沿って配置された図８の傾斜部６１２、薄肉部６１３は、短辺領域を形成する。図７の一対の長辺６１に沿って配置された図８の傾斜部６１５、薄肉部６１６，６１９は、長辺領域を形成する。
【００５４】
また、これらの短辺領域と長辺領域とは、外側領域を形成する。カバー６０の四隅に形成された薄肉部６１７は、外側領域に含まれる。内側領域は、外側領域の内側に囲まれるように配置された厚肉部６１０によって形成される。
【００５５】
傾斜部６１５、薄肉部６１６によって形成された長辺領域のＹ方向（長辺６１の辺の延びるＸ方向と交わる方向）の幅の長さＬ１，Ｌ２は、傾斜部６１２、薄肉部６１３によって形成された短辺領域のＸ方向（短辺６２の辺の延びるＹ方向と交わる方向）の幅の長さＬ３，Ｌ４より長い。
【００５６】
カバー６０の＋Ｙ方向の端部には、−Ｚ方向に突出し、Ｘ方向に延在する突出壁部６０３（図７参照）が形成され、カバー６０の−Ｙ方向の端部には、−Ｚ方向に突出し、Ｘ方向に延在する突出壁部６２８が形成される。突出壁部６０３，６２８は、Ｙ方向において当接部６１８の外側の位置にそれぞれ形成される。
【００５７】
突出壁部６０３，６２８のＹ方向における内側には、係合部６０６がそれぞれ形成される。図９は、図８の係合部６０６、突出部６０５が形成された部分（破線の円Ｃで示した部分）の斜視拡大図である。係合部６０６は、突出壁部６０３に設けられた一対のリブ６０４の間に設けられる。本実施形態の係合部６０６は、断面が半円形状の円柱形状を有し、突出壁部６０３，６２８からＹ方向の内側に突出し、Ｘ方向に延在する。
【００５８】
図８の厚肉部６２２，６２４と突出壁部６０３とが接続される内側角部には、３個の突出部６０５がＸ方向に並んで設けられる。突出部６０５のＹ方向の位置は、当接部６１８の位置にあり、厚肉部６２２，６２４には当接部６１８が形成されていない。
【００５９】
図９の突出部６０５の上面６０５ａのＺ方向の高さは、当接部６１８の上面の高さと同じである。突出壁部６２８のＹ方向の内側における突出部６０５と対向する位置に、突出部６０５と同じ形状の突出部（不図示）がＸ方向に並んで３個設けられる。突出部６０５は、カバー６０がパネル１４に装着された状態において、パネル１４の上端部１４ａ（図５参照）と当接する。尚、図５の断面位置においては、突出部６０５が形成されていないので、上端部１４ａの上方に突出部６０５は図示されない。
【００６０】
当接部６１８には、一対の切欠き部６０７が形成された部分が４箇所設けられる。図１０は、図８の一対の切欠き部６０７が形成された部分（破線の円Ｄで示した部分）の斜視拡大図である。図１０に示すように、当接部６１８の上面には、平面部６１８ａが形成される。切欠き部６０７は、当接部６１８の上部にＹ方向に延びる溝部を形成したものである。
【００６１】
図１に示すように、パネル１４の前面側には、図８の係合部６０６が侵入可能な溝部が形成された被係合部５９が形成される。パネル１４の背面側にも、係合部６０６が侵入可能な溝部が形成された被係合部（不図示）が形成される。カバー６０がパネル１４の上部に装着された状態で、カバー６０の突出壁部６０３，６２８に設けられた係合部６０６は、パネル１４の前面側の被係合部５９および背面側の被係合部とそれぞれ係合する。
【００６２】
突出壁部６０３，６２８は、使用者がカバー６０をパネル１４に装着する際に、装着位置をガイドするガイド部として機能する。また、カバー６０がパネル１４に装着された状態において、カバー６０がパネル１４に対してＹ方向に移動することを規制する。
【００６３】
図６に示すように、カバー６０がパネル１４に装着された状態において、当接部６１４，６１８は、パネル１４の外周縁部の上端部１４ａに対向する位置にあって上端部１４ａと当接する。上端部１４ａの当接部６１４，６１８と当接する側の面は曲面である。尚、図５の断面位置では、当接部６１８が形成されていないので、上端部１４ａの上方には当接部６１８が図示されていない。
【００６４】
本実施形態のプリンター１０の記録手段は、記録ヘッド３０、記録ヘッド３０を備え往復動するキャリッジ３２、用紙Ｐを搬送する搬送ローラー対３８を含んで構成される。
【００６５】
本実施形態で説明した図１のプリンター１０は、被記録媒体としての用紙Ｐに記録を行う記録手段を内部に備える装置本体部１１と、装置本体部１１に備えられ、各種情報等を表示する表示部２８の外周側を支持するパネル１４と、樹脂材料から形成されたカバー６０と、を備え、カバー６０は、表示部２８を覆う被覆部と、被覆部の外周側に形成され、パネル１４と当接する当接部６１４，６１８を備える。そして、被覆部は、外周に沿って配置された外側領域となる、薄肉部６１３，６１６，６１７，６１９、傾斜部６１２，６１５と、外側領域の内側に配置された内側領域となる、厚肉部６１０を有し、外側領域の厚さは、内側領域の厚さより薄い。
【００６６】
この構成によれば、樹脂成形によりカバー６０を形成する際、外側領域に流れた液状の樹脂材料が、内側領域に流れた液状の樹脂材料より早く固化する。そのため、外側領域のソリ（変形）を抑制できる。これにより、パネル１４とカバー６０との間に生じる隙間を小さくすることが可能となり、その隙間から埃や砂塵が侵入し、表示部２８に付着してしまうことを抑制できる。また、使用者が表示部２８に付着した埃や砂塵を拭くことで、表示部２８に傷が入り、見えにくくなることを抑制できる。
【００６７】
また、図８の当接部６１４は、外周が、図７の一対の短辺６２を有し、図８の当接部６１８は、短辺６２の延びる方向と交わる方向に延びる一対の長辺６１を有する。被覆部における外側領域は、外側領域は短辺６２に沿って配置された短辺領域となる薄肉部６１３、傾斜部６１２、長辺６１に沿って配置された長辺領域となる薄肉部６１６，６１９、傾斜部６１５を有し、長辺領域には、長辺６１の延びる方向と交わる方向の幅Ｌ１，Ｌ２が、短辺領域における短辺６２の延びる方向と交わる方向の幅Ｌ３，Ｌ４より長い部分がある。
【００６８】
短辺領域の方が長辺領域より液状の樹脂材料が早く固化した場合には、長辺領域の樹脂の形状は、先に固化した短辺領域の変形部分に影響されて、ソリが大きくなる可能性がある。本実施形態の構成により、樹脂成形によりカバー６０を形成する際、長辺領域の方が短辺領域より液状の樹脂材料が早く固化する。これにより、長辺領域のソリを抑制できる。
【００６９】
また、外側領域には、内側領域と接続され、外側に位置するほど厚さが連続的に減少するように傾斜する傾斜面を有する傾斜部６１２，６１５が形成される。
【００７０】
この構成によれば、傾斜部６１２，６１５の傾斜面を形成するための、型の傾斜面（不図示）に沿って、液状の樹脂材料が外側領域へ向けて流れやすくなる。これにより、外側領域に流入した液状の樹脂材料が内側領域に流入した液状の樹脂材料よりも早い段階で固化する。そのため、外側領域のソリ（変形）を抑制できる。
【００７１】
また、当接部６１４，６１８は、被覆部の厚さ方向（図８のＺ方向）に突出する。詳しくは、パネルと当接する方向に被覆部よりも突出する。
【００７２】
この構成によれば、カバー６０の当接部６１４，６１８が、リブの役割を果たす。これにより、カバー６０の剛性を高めることが出来るので、外部からの衝撃および圧力などから表示部２８をより保護することができる。また、カバー６０の被覆部と表示部２８との間に空間が形成されることになり、カバー６０に対する外部からの衝撃および圧力などにより被覆部が表示部２８の側に撓んだとしても、被覆部と表示部２８とが接触することを抑制できるので、表示部２８に傷が生じることを低減することができる。
【００７３】
図１１（ａ）は、当接部６１４，６１８の延在する方向から見た図で、カバー６０の当接部６１４，６１８とパネル１４とが当接する部分の断面拡大図である。図１１（ａ）に示すように、当接部６１４，６１８の延在する方向に亘って平面部６１４ａ，６１８ａが形成され、パネル１４における上端部１４ａの平面部６１４ａ，６１８ａと当接する側の面は、曲面である。
【００７４】
これにより、上端部１４ａと平面部６１４ａ，６１８ａとが確実に当接するので、埃や砂塵が表示部側に侵入し、表示部に付着してしまうことをさらに抑制できる。
【００７５】
図１１（ｂ）に示すように、当接部６１４，６１８の延在する方向に亘って曲面部６１４ｂ，６１８ｂが形成され、パネル１４における上端部１４ｂの曲面部６１４ｂ，６１８ｂと当接する側の面は、平面であってもよい。
【００７６】
カバー６０をパネル１４に装着する際は、使用者は、カバー６０を傾けた状態からパネル１４に装着する場合がある。例えば、使用者は、背面側が高くなるようにカバー６０を傾け、先にパネル１４の前面側に押し当てながらカバー６０を回動させて水平姿勢にした後、パネル１４の背面側の手掛け部６０２を指で押圧することが行われる。
【００７７】
図１１（ａ）のように、カバー６０の当接部６１４，６１８が平面部６１４ａ，６１８ａを有する場合は、破線に示すように、当接部６１４，６１８がＺ方向に対して傾斜した状態でパネル１４の上端部１４ａに押し当てられても、上端部１４ａの曲面に沿って当接部６１４，６１８が移動し、当接部６１４，６１８とパネル１４の上端部１４ａとが当接する状態となる。
【００７８】
これに対して、図１１（ｂ）のように、カバー６０の当接部６１４，６１８が曲面部６１４ｂ，６１８ｂを有する場合は、破線に示すように、当接部６１４，６１８がＺ方向に対して傾斜した状態でパネル１４の上端部１４ｂに押し当てられると、上端部１４ｂの角部に当たってしまうことがある。使用者は、当接部６１４，６１８が上端部１４ｂの角部を乗り越えるようにしてカバー６０の姿勢を調整し、当接部６１４，６１８と上端部１４ｂとが当接する位置でカバー６０をパネル１４に装着させることになる。
【００７９】
従って、カバー６０をパネル１４に装着する際の作業性の観点では、図１１（ａ）の当接部６１４，６１８に平面部６１４ａ，６１８ａが形成され、パネル１４における上端部１４ａが曲面である方が、図１１（ｂ）の当接部６１４，６１８に曲面部６１４ｂ，６１８ｂが形成され、パネル１４における上端部１４ｂが平面である方より優位性がある。
【００８０】
また、被覆部の外周部には、手掛け部６０２を構成する厚肉部６２２，６２４が形成され、被覆部には、厚肉部６２２，６２４と接続され、厚肉部６２２，６２４に沿って延在する薄肉部６１９が形成され、薄肉部６１９は、被覆部において最も薄い。
【００８１】
この構成によれば、樹脂成形によりカバー６０を形成する際、薄肉部６１９に流れた液状の樹脂材料がより早く固化する。そのため、薄肉部６１９の変形を抑制できる。従って、手掛け部６０２の支持部となる薄肉部６１９が変形することで、手掛け部６０２も変形してしまうことを抑制できる。
【００８２】
また、図８の当接部６１８には、切欠き部６０７が形成される。これにより、カバー６０をパネル１４から取り外す際に、切欠き部６０７を空気が通り、カバー６０の取り外しが容易となる。
【００８３】
当接部６１４，６１８は、ゴムなどの弾性部材を設けてもよい。これにより、当接部６１４，６１８とパネル１４の上端部１４ａとの密閉性が高まる。
【００８４】
また、厚肉部６２０，６２１，６２２，６２５，６２６が係合部６０６に近い位置に形成されている。これにより剛性を高め、係合部６０６と図１の被係合部５９とが係合する際に、カバー６０の変形や損傷を抑制する。
【００８５】
本実施形態では、当接部６１４，６１８は被覆部から突出した形状であったが、被覆部から突出せずに、被覆部の外側領域を形成する壁部と同じ厚さであってもよい。
【００８６】
本実施形態のカバー６０の厚さ方向から見た形状は、略長方形の形状であったが、円形状、楕円形状であってもよい。
【符号の説明】
【００８７】
１０…インクジェットプリンター、１１…装置本体部、１４…パネル、１４ａ…上端部、２８…表示部、３０…記録ヘッド、３２…キャリッジ、３８…搬送ローラー対、３８ａ…搬送駆動ローラー、３８ｂ…搬送従動ローラー、４４ａ…排出駆動ローラー、４４ｂ…排出従動ローラー、４６…排出ローラー対、６０…カバー、６１…長辺、６２…短辺、６１０…厚肉部、６１２，６１５…傾斜部、６１３，６１６，６１７…薄肉部、６１４，６１８…当接部、６１４ａ，６１８ａ…平面部、６１８ａ…上面、Ｌ１〜Ｌ４…幅の長さ、Ｐ…用紙、Ｘ，Ｙ，Ｚ…方向。
【図１】
0006515721.tif 000002
【図２】
0006515721.tif 000003
【図３】
0006515721.tif 000004
【図４】
0006515721.tif 000005
【図５】
0006515721.tif 000006
【図６】
0006515721.tif 000007
【図７】
0006515721.tif 000008
【図８】
0006515721.tif 000009
【図９】
0006515721.tif 000010
【図１０】
0006515721.tif 000011
【図１１】
0006515721.tif 000012